(57)【要約】【課題】収縮時に隙間の発生を防ぐとともに膨張時に枠体への当接を防ぐことができ、加えて、投光部を大きく確保できる照明器具を提供する。【解決手段】照明器具１０は、本体１１内に開口部１２からランプ管１４が収納され、開口部１２がカバー１６で覆われ、カバー１６は開口部１２に着脱可能な枠体２１と、枠体２１にランプ管１４の光を透過する樹脂パネル２２と、樹脂パネル２２が枠体２１から外れることを阻止する押さえ具２３とを備えている。カバー１６は、樹脂パネル２２の両端２２ｂ以外の箇所で樹脂パネル２２を枠体２１に保持することで、樹脂パネル２２が移動することを防ぐ両面接着シート３２を備えている。【選択図】図６
2010205423.tif 000002
【特許請求の範囲】
【請求項１】
本体内に前記本体の開口部からランプが収納され、前記開口部にカバーの枠体を取り付けることで、前記枠体に設けられた透光性のパネルで前記ランプを覆う照明器具であって、
前記カバーは、前記パネルの両端以外の箇所で前記パネルを前記枠体に保持することで、前記パネルの移動を阻止するとともに前記パネルの膨張・収縮を両端に振り分ける保持手段を備えたことを特徴とする照明器具。
【請求項２】
前記パネルが前記枠体から外れることを阻止するために前記枠体の裏面から前記パネルに向けて押さえ具が張り出され、
前記押さえ具を用いて前記保持手段を構成したことを特徴とする請求項１記載の照明器具。
【請求項３】
前記保持手段は、
前記押さえ具および前記パネル間に弾性を有する両面接着シートを介在させ、
前記両面接着シートの一方の接着面を前記押さえ具に接着可能で、前記両面接着シートの他方の接着面を前記パネルに接着可能としたことを特徴とする請求項２記載の照明器具。
【請求項４】
前記保持手段は、
前記パネルに凹部または凸部を設け、前記凹部または凸部に嵌合可能な嵌合部を前記押さえ具に設けたことを特徴とする請求項２記載の照明器具。
【発明の詳細な説明】
【技術分野】
【０００１】
本発明は、本体内に開口部からランプが収納され、開口部がカバーで覆われ、カバーにランプの光を透過するパネルを備えた照明器具に関する。
【背景技術】
【０００２】
従来の照明器具は、本体内ランプ管が収納され、ランプ管が略矩形状のカバーで覆われている。図１２に示すように、カバー１００は、本体の開口部に着脱可能に取り付けられた枠体１０１と、枠体１０１にランプ管の光を透過する透過性の樹脂パネル１０２とを備えている。
この樹脂パネル１０２は、押付力（すなわち、外力）がパネル自体に直接作用しないように枠体に取り付けられている。
【０００３】
具体的には、樹脂パネル１０２がパネル面１０２ａと平行な方向に移動することを抑制するために、略矩形状の樹脂パネル１０２の四辺に対向させて枠体１０１から壁部１０１ａが立ち上げられている。
これらの壁部１０１ａは、図１３に示すように、樹脂パネル１０２の四辺に対して所定間隔Ｌ１をおいて枠体から立ち上げられ、樹脂パネル１０２の四辺に当接可能に形成されている。
【０００４】
一方、樹脂パネル１０２がパネル面１０２ａと直交する方向に移動して枠体１０１から外れることを阻止するために、枠体１０１の裏面（具体的には、壁部１０１ａの裏面）に複数の押さえ具１０４が設けられている。
複数の押さえ具１０４は、樹脂パネル１０２に対して上方に所定間隔Ｌ２をおいて張り出され、パネル面１０２ａを当接可能に形成されている（例えば、特許文献１、特許文献２参照。）。
【先行技術文献】
【特許文献】
【０００５】
【特許文献１】特開２００８−１８１８０９号公報
【特許文献２】特開平９−１８０５２９号公報
【発明の概要】
【発明が解決しようとする課題】
【０００６】
ここで、樹脂パネル１０２は周囲環境の温度変化や湿度変化により膨張・収縮するため、樹脂パネル１０２の膨張・収縮を見越して樹脂パネル１０２と枠体１０１（具体的には、壁部１０１ａ）との隙間Ｌ１を設定することが必要とされている。
特に、樹脂パネル１０２は矩形状に形成されているため、長手方向の膨張・収縮が大きくなり、長手方向の寸法伸縮量が大きくなる。
【０００７】
このため、図１４に示すように、樹脂パネル１０２は、常時「膨張したパネル長さ寸法」＜「枠体の壁部間の寸法」
とする必要がある。
一方、図１５に示すように、「膨張したパネル長さ寸法」＞「枠体の壁部間の寸法」となると、膨張した樹脂パネル１０２の両端辺１０２ｂが枠体１０１の壁部１０１ａに当接し、樹脂パネル１０２が湾曲状に変形する虞がある。
【０００８】
ところで、枠体１０１に対する樹脂パネル１０２の移動（ずれ）を防ぐために、樹脂パネル１０２を一端で保持するように構成した場合、低温時に樹脂パネル１０２が収縮すると、図１６に示すように樹脂パネル１０２の自由端部１０２ａの収縮量（すなわち、片寄せ量）が大きくなる。
よって、枠体１０１と樹脂パネル１０２との間に隙間Ｌ３が発生し、照明器具の内部が隙間Ｌ３から目視可能となったり、隙間Ｌ３から光漏れが発生したりして意匠上好ましくない。
【０００９】
この不具合を解消するために、枠体のパネル乗りかかり代（枠幅）Ｗを大きくすることが考えられる。
しかし、図１７に示すように、枠体１０１のパネル乗りかかり代（枠幅）Ｗを大きくすると、樹脂パネル１０２の透光部が小さくなり器具効率が悪くなってしまう。
【００１０】
本発明の目的は、上記従来の問題点に鑑みてなされたものであり、樹脂パネルに大きな外力を与えないように保持でき、さらに、収縮時に隙間の発生を防ぐとともに膨張時に枠体への当接を防ぐことができ、加えて、投光部を大きく確保できる照明器具を提供することを課題とする。
【課題を解決するための手段】
【００１１】
本発明は、本体内に前記本体の開口部からランプが収納され、前記開口部にカバーの枠体を取り付けることで、前記枠体に設けられた透光性のパネルで前記ランプを覆う照明器具であって、前記カバーは、前記パネルの両端以外の箇所で前記パネルを前記枠体に保持することで、前記パネルの移動を阻止するとともに前記パネルの膨張・収縮を両端に振り分ける保持手段を備えたことを特徴とする。
【００１２】
また、本発明は、前記パネルが前記枠体から外れることを阻止するために前記枠体の裏面から前記パネルに向けて押さえ具が張り出され、前記押さえ具を用いて前記保持手段を構成したことを特徴とする。
【００１３】
さらに、本発明は、前記保持手段は、前記押さえ具および前記パネル間に弾性を有する両面接着シートを介在させ、前記両面接着シートの一方の接着面を前記押さえ具に接着可能で、前記両面接着シートの他方の接着面を前記パネルに接着可能としたことを特徴とする。
【００１４】
また、本発明は、前記保持手段は、前記パネルに凹部または凸部を設け、前記凹部または凸部に嵌合可能な嵌合部を前記押さえ具に設けたことを特徴とする。
【発明の効果】
【００１５】
本発明では、パネルの両端以外の箇所（すなわち、パネルの長手方向の中央部）でパネルを枠体に保持する保持手段を備えた。
パネルを長手方向の中央部で保持することで、パネルの長手方向の膨張・収縮を一方の端部側と他方の端部側とに振り分けることができる。
【００１６】
よって、パネルの片寄せを防ぐことが可能になり、枠体のパネル乗りかかり代（枠幅）関して、パネルの膨張寸法については考慮する必要がなくなり、パネルの収縮寸法についてのみ考慮するだけでよいことになる。
これにより、枠体のパネル乗りかかり代（枠幅）を小さく抑えることが可能になり、投光部を大きく確保して器具効率を向上させることができる。
【００１７】
さらに、パネルを長手方向の中央部で保持してパネルの長手方向の膨張・収縮を両端部に振り分けることで、パネルの両端部の膨張量を小さく抑えることができる。
これにより、パネル収縮時にパネルと枠体との間に隙間が発生することを防ぐとともに、パネル膨張時にパネルが枠体に当接することを防ぐことができる。
【００１８】
加えて、パネルを中央部で保持することで、輸送中などでパネルが動く（ずれる）ことを防ぐことができる。
これにより、パネルが枠体内で移動して（ずれて）、枠体に当接して破損が生じることを防止できる。
【００１９】
また、本発明では、押さえ具を用いて保持手段を形成することで、保持手段を簡素な構成とすることができる。
【００２０】
さらに、本発明では、両面接着シートの一方の接着面を押さえ具に接着し、両面接着シートの他方の接着面をパネルに接着させた。
この両面接着シートは弾性を有しているので、パネルに大きな外力を与えることなく、パネルの膨張・収縮を吸収しながらパネルの位置を保持できる。
【００２１】
また、本発明では、パネルの長手方向においてパネルに凹部または凸部を設け、凹部または凸部に嵌合可能な嵌合部を押さえ具に設けた。
パネルの凹部または凸部を押さえ具の嵌合部に嵌合することで、パネルに外力を与えることなく、パネルの膨張・収縮を吸収しながらパネルの位置を保持できる。
【図面の簡単な説明】
【００２２】
【図１】本発明に係る照明器具の第１実施形態を示す分解斜視図
【図２】第１実施形態の照明器具を示す縦断面図
【図３】第１実施形態の照明器具を示す横断面図
【図４】第１実施形態のカバーを示す斜視図
【図５】第１実施形態のカバーを本体に取り付ける状態を示す側面図
【図６】第１実施形態の両面接着シートを取り付けた状態を示す側面図
【図７】第１実施形態の両面接着シートを示す斜視図
【図８】本発明に係る保持手段の第２実施形態を示す斜視図
【図９】第２実施形態の保持手段を示す分解斜視図
【図１０】本発明に係る保持手段の第３実施形態を示す斜視図
【図１１】第３実施形態の保持手段を示す分解斜視図
【図１２】従来のカバーを示す斜視図
【図１３】従来のカバーを示す断面図
【図１４】従来の樹脂パネルが膨張した状態を示す側面図
【図１５】従来の樹脂パネルが湾曲変形した状態を示す側面図
【図１６】従来の樹脂パネルが片寄せ収縮した状態を示す側面図
【図１７】従来の枠体の枠幅Ｗを大きく確保した状態を示す側面図
【発明を実施するための形態】
【００２３】
本発明を実施するための最良の形態を添付図に基づいて以下に説明する。
【００２４】
（第１実施形態）
第１実施形態に係る照明器具１０について説明する。
図１〜図３に示すように、照明器具１０は、本体１１内に開口部１２から直管状のランプ管（ランプ）１４が収納され、開口部１２が略矩形状のカバー１６で覆われている。
本体１１は、ボックス状に形成され、下部に開口部１２が略矩形状に形成されている。
【００２５】
図４に示すように、カバー１６は、開口部１２に着脱可能に取付可能な略矩形状の枠体２１と、枠体２１に設けられてランプ管１４の光を透過する透過性の樹脂パネル（パネル）２２と、樹脂パネル２２が枠体２１から外れることを阻止する押さえ具２３と、カバー１６を本体１１に保持する係止突起２８とを備えている。
【００２６】
枠体２１は、長手方向に延出された一対の長手壁部２５と、短手方向に延出された一対の短手壁部２６と、一対の長手壁部２５および一対の短手壁部２６の底部に内側に張り出された内張出部２７（図２、図３参照）が形成されている。
この枠体２１は、一対の長手壁部２５および一対の短手壁部２６で略矩形枠状に形成されている。
【００２７】
図２に示すように、一対の長手壁部２５に複数の係止突起２８がビスで取り付けられ、複数の係止突起２８が一対の長手壁部２５から上方に向けて突出されている。
図５（Ａ），（Ｂ）に示すように、複数の係止突起２８を本体１１の係止ばね部２９に係止することで、枠体２１が本体１１に取り付けられた状態に保持される。
係止ばね部２９は、板ばねで形成されている。
【００２８】
図６に示すように、枠体２１内に樹脂パネル２２が収納されて内張出部２７に載置されている。
樹脂パネル２２は、押付力（すなわち、外力）がパネル自体に直接作用しないように枠体２１に取り付けられている。
すなわち、樹脂パネル２２は、図４に示すように、一対の長辺２２ａおよび一対の短辺（両端）２２ｂで略矩形状に形成されている。
樹脂パネル２２は、一対の長辺２２ａが一対の長手壁部２５に対して所定間隔をおいて配置され、図６に示すように一対の短辺２２ｂが一対の短手壁部２６に対して所定間隔Ｓ１をおいて配置されている。
【００２９】
この樹脂パネル２２に対して上方（パネル面に直交する方向）に所定間隔Ｓ２をおいて複数の押さえ具２３が一対の長手壁部２５にビスで設けられている（図２も参照）。
図７に示すように、複数の押さえ具２３は、断面略Ｌ字状に形成され、一対の長手壁部２５から張出部２３ａが内側に向けて（すなわち、樹脂パネル２２に向けて）張り出されている。
【００３０】
さらに、図６に示す係止突起２８も断面略Ｌ字状に形成され、係止突起２８の基部には、押さえ具２３と同様に、張出部２８ａが一対の長手壁部２５から内側に向けて（すなわち、樹脂パネル２２に向けて）張り出されている。
よって、樹脂パネル２２が枠体２１から上方に外れることを複数の押さえ具２３（張出部２３ａ）および複数の係止突起２８（張出部２８ａ）で阻止できる。
【００３１】
図６、図７に示すように、押さえ具２３には、樹脂パネル２２が移動することを防ぐ両面接着シート（保持手段）３２が設けられている。
両面接着シート３２は、弾性を有するシートであって、押さえ具２３（張出部２３ａ）および樹脂パネル２２間に介在されている。
【００３２】
この両面接着シート３２は、一方の接着面３２ａが押さえ具２３に接着され、他方の接着面３２ｂが樹脂パネル２２の長手方向の中央部２２ｃ（すなわち、樹脂パネル２２の両端（短辺）２２ｂ以外の箇所）に接着（保持）されている。
具体的には、他方の接着面３２ｂは、樹脂パネル２２の長辺２２ａにおいて、長手方向の中央部２２ｃに接着されている。
【００３３】
樹脂パネル２２の長手方向の中央部２２ｃを両面接着シート３２で保持することで、樹脂パネル２２が長手方向、短手方向やパネル２２に直交する方向に移動することを阻止できる。
また、押さえ具２３を用いて両面接着シート３２を支える（形成する）ことで、保持手段を両面接着シート３２という簡素な構成で構成することができる。
【００３４】
以上説明したように、実施例１の保持手段（すなわち、両面接着シート）３２によれば、樹脂パネル２２を長手方向の中央部２２ｃで保持することで、樹脂パネル２２の長手方向の膨張・収縮を一方の端部（短辺）２２ｂ側と他方の端部（短辺）２２ｂ側とに振り分けることができる。
【００３５】
よって、樹脂パネル２２の片寄せを防ぐことが可能になり、枠体２１のパネル乗りかかり代（枠幅）関して、樹脂パネル２２の膨張寸法については考慮する必要がなくなり、樹脂パネル２２の収縮寸法についてのみ考慮するだけでよいことになる。
これにより、枠体２１のパネル乗りかかり代（枠幅）を小さく抑えることが可能になり、投光部を大きく確保して器具効率を向上させることができる。
【００３６】
さらに、樹脂パネル２２を長手方向の中央部２２ｃで保持して長手方向の膨張・収縮を両端部  に振り分けることで、両端部  の膨張量を小さく抑えることができる。
これにより、パネル収縮時に樹脂パネル２２と枠体２１との間に隙間  が発生することを防ぐとともに、パネル膨張時に樹脂パネル２２が枠体２１に当接することを防ぐことができる。
【００３７】
加えて、樹脂パネル２２を長手方向の中央部２２ｃで保持することで、輸送中などで樹脂パネル２２が動く（ずれる）ことを防ぐことができる。
これにより、樹脂パネル２２が枠体２１内で移動して（ずれて）、枠体２１に当接して破損が生じることを防止できる。
【００３８】
つぎに、第２実施形態〜第３実施形態を図８〜図１１に基づいて説明する。なお、第２実施形態〜第３実施形態において第１実施形態と同様の構成部材について同じ符号を付して説明を省略する。
【００３９】
（第２実施形態）
第２実施形態に係る照明器具４０について説明する。
図８〜図９に示すように、照明器具４０は、両面接着シート３２に代えて保持手段４２を備えたもので、その他の構成は第１実施形態の照明器具１０と同様である。
【００４０】
保持手段４２は、樹脂パネル２２に凸部４３が設けられ、押さえ具２３に貫通孔（嵌合部）４４が設けられている。
【００４１】
凸部４３は、樹脂パネル２２の長辺２２ａにおいて、長手方向の中央部２２ｃから上方に向けて（すなわち、貫通孔４４に向けて）突出（隆起）されている。
貫通孔４４は、押さえ具２３のうち、凸部４３に対向する位置に形成されている。
この貫通孔４４は、凸部４３が嵌合可能に、凸部４３の外形に対して一回り大きな孔に形成されている。
【００４２】
よって、凸部４３を貫通孔４４に嵌合することで、樹脂パネル２２に外力を与えることなく、樹脂パネル２２が長手方向や短手方向に移動することを阻止できる。
このように、樹脂パネル２２の凸部４３を貫通孔４４に嵌合することで、樹脂パネル２２に外力を与えることなく、樹脂パネル２２の長手方向の膨張・収縮を一方の端部（短辺）２２ｂ側と他方の端部（短辺）２２ｂ側とに振り分けることができる。
すなわち、樹脂パネル２２に外力を与えることなく、樹脂パネル２２の膨張・収縮を吸収しながら樹脂パネル２２の位置を保持できる。
さらに、押さえ具２３で樹脂パネル２２が枠体２１から外れることを阻止できる。
【００４３】
加えて、第２実施形態に係る照明器具４０は、第１実施形態に係る照明器具１０と同様の効果を得ることができる。
【００４４】
（第３実施形態）
第３実施形態に係る照明器具５０について説明する。
図１０〜図１１に示すように、照明器具５０は、両面接着シート３２に代えて保持手段５２を備えたもので、その他の構成は第１実施形態の照明器具１０と同様である。
【００４５】
保持手段５２は、樹脂パネル２２に切欠５３が設けられ、押さえ具２３に突片（嵌合部）５４が設けられている。
【００４６】
切欠５３は、樹脂パネル２２の長辺２２ａにおいて、長手方向の中央部２２ｃに形成されている。
突片５４は、押さえ具２３のうち、切欠５３に対向する位置に、切欠５３に向けて突出するように形成されている。
【００４７】
そして、切欠５３を突片５４に嵌合することで、樹脂パネル２２に外力を与えることなく、樹脂パネル２２が長手方向や短手方向に移動することを阻止できる。
このように、樹脂パネル２２の切欠５３を突片５４に嵌合することで、樹脂パネル２２に外力を与えることなく、樹脂パネル２２の長手方向の膨張・収縮を一方の端部（短辺）２２ｂ側と他方の端部（短辺）２２ｂ側とに振り分けることができる。
すなわち、樹脂パネル２２に外力を与えることなく、樹脂パネル２２の膨張・収縮を吸収しながら樹脂パネル２２の位置を保持できる。
さらに、押さえ具２３で樹脂パネル２２が枠体２１から外れることを阻止できる。
【００４８】
加えて、第３実施形態に係る照明器具５０は、第１実施形態に係る照明器具１０と同様の効果を得ることができる。
【００４９】
なお、本発明に係る照明器具１０，４０，５０は、前述した実施形態に限定されるものではなく適宜変更、改良などが可能である。
例えば、第１実施形態〜第３実施形態で示した照明器具１０、本体１１、開口部１２、ランプ管１４、カバー１６、樹脂パネル２２、押さえ具２３、両面接着シート３２、保持手段４２，５２、凸部４３、貫通孔４４、切欠５３および突片５４などの形状や構成は例示したものに限定するものではなく適宜変更が可能である。
【符号の説明】
【００５０】
１０，４０，５０  照明器具
１１  本体
１２  開口部
１４  ランプ管（ランプ）
１６  カバー
２１  枠体
２２  樹脂パネル（パネル）
２２ｂ  樹脂パネルの端部（両端）
２３  押さえ具
２３ａ，２８ａ  張出部
３２  両面接着シート（保持手段）
４２，５２  保持手段
４３  凸部
４４  貫通孔（嵌合部）
５３  切欠
５４  突片（嵌合部）
【図１】
2010205423.tif 000003
【図２】
2010205423.tif 000004
【図３】
2010205423.tif 000005
【図４】
2010205423.tif 000006
【図５】
2010205423.tif 000007
【図６】
2010205423.tif 000008
【図７】
2010205423.tif 000009
【図８】
2010205423.tif 000010
【図９】
2010205423.tif 000011
【図１０】
2010205423.tif 000012
【図１１】
2010205423.tif 000013
【図１２】
2010205423.tif 000014
【図１３】
2010205423.tif 000015
【図１４】
2010205423.tif 000016
【図１５】
2010205423.tif 000017
【図１６】
2010205423.tif 000018
【図１７】
2010205423.tif 000019